(57)【要約】【課題】水を散布して歯形の加工を行う場合であっても塵埃の飛散を防止できるとともに加工作業性を向上させることのできる歯科技工用防水カバーを提供する。【解決手段】歯形あるいは義歯の研削もしくは研磨などの加工を水の散布を伴って行う作業領域を覆う歯科技工用防水カバー１において、前記加工を行うための手を挿入する作業用開口部５Ｒ，５Ｌが左右両側の少なくとも一方に形成され、かつ内部の作業領域を覗くための視認用開口部１０が正面側もしくは上部に形成され、さらに排水用開口部１１が底部に形成された中空体２が、水受けトレー３上に、その水受けトレー３に対して相対的に前後動可能に配置されている。【選択図】図１
2009106368.tif 000002
【特許請求の範囲】
【請求項１】
歯形あるいは義歯の研削もしくは研磨などの加工を水の散布を伴って行う作業領域を覆う歯科技工用防水カバーにおいて、
前記加工を行うための手を挿入する作業用開口部が左右両側の少なくとも一方に形成され、かつ内部の作業領域を覗くための視認用開口部が正面側もしくは上部に形成され、さらに排水用開口部が底部に形成された中空体が、水受けトレー上に、その水受けトレーに対して相対的に前後動可能に配置されていることを特徴とする歯科技工用防水カバー。
【請求項２】
前記水受けトレー内にその水受けトレーに対して前後方向に移動可能なスライド台が設けられ、前記中空体はそのスライド台に乗せられていることを特徴とする請求項１に記載の歯科技工用防水カバー。
【請求項３】
前記中空体の左右両側に前記作業用開口部が形成され、義歯を支えるための手を挿入する一方の作業用開口部の開口面積が、前記加工を行うための加工具を持つ手を挿入する他方の作業用開口部の開口面積より小さいことを特徴とする請求項１または２に記載の歯科技工用防水カバー。
【請求項４】
前記加工工具に接続されたチューブもしくはリードを前記中空体の内部に引き入れるための切り欠き部が、前記開口面積の大きい作業用開口部に上方に続けて上面にまで形成されていることを特徴とする請求項３に記載の歯科技工用防水カバー。
【請求項５】
各作業用開口部の下側のエッジ部に、前記中空体の内部に突出した、手もしくは腕を載せる鍔部が形成されていることを特徴とする請求項１ないし４のいずれかに記載の歯科技工用防水カバー。
【請求項６】
前記視認用開口部は、目視用の開口部と拡大鏡装着用の開口部との少なくともいずれか一方を含むことを特徴とする請求項１ないし５のいずれかに記載の歯科技工用防水カバー。
【発明の詳細な説明】
【技術分野】
【０００１】
この発明は、架工義歯、有床義歯、インプラント義歯などの義歯あるいは歯形を作る際に、その研削もしくは研磨などの加工を行う作業領域を覆うカバーに関し、特にジルコニア（人工ダイヤモンドと称されることもある）などの硬質の素材を、水を散布しつつ加工する際に使用する防水カバーに関するものである。
【背景技術】
【０００２】
義歯や歯形（以下、両者を合わせて歯形と記す）は微細な加工を行って造るので、従来一般に、モータやタービンによって研磨工具を高速回転させ、これを歯形の素材に接触させて研磨を行っている。そのため、歯形の加工によって粉塵が生じるので、集塵や貴金属の回収などのために、加工作業を行うエリアを覆い、そのエリアから吸引するように構成した各種の装置が提案されている。例えば特許文献１には、中心軸線を水平にした状態に設置される透明なプラスチック製円筒体の左右両開口部を、切り込みを入れたゴム板で閉じるとともに、その円筒体の上部に覗き孔を形成し、さらにその円筒体にバキューム管を接続した構成の粉塵の飛散防止装置が記載されている。また、特許文献２には、少なくともフロント壁が透明なボックス本体の両側壁に手挿入口が形成され、そのボックス本体に吸引管が連通されるとともに、底部に引き出し状の貴金属収納ケースが設けられた石膏屑集塵兼貴金属回収ボックスが記載されている。
【０００３】
【特許文献１】実開平６−７７７０６号公報
【特許文献２】実開平６−７５４１９号公報
【発明の開示】
【発明が解決しようとする課題】
【０００４】
従来、歯形には石膏や金属などが一般に使用されており、したがって加工によって生じる粉塵は浮遊しやすいために、従来では、上述した各特許文献１，２に記載されているように、円筒体やボックス本体などで区画された領域を加工領域とするとともに、その加工領域から吸引することにより、集塵するように構成された装置もしくは器具が使用されている。しかしながら、最近では、人工ダイヤモンドと称されることのあるジルコニアなどの硬質の材料を使用して歯形を造ることが行われるようになっており、その場合、冷却などのために水を散布しつつ研削もしくは研磨を行っている。このような加工に際して上述したいわゆる吸引式の装置あるいは器具を使用すると、ブロアーなどの吸引源に水が入って故障の原因となる可能性があり、結局は、新たな硬質素材を使用した加工を行うための集塵器具としては使用することが困難である。
【０００５】
この発明は上記の事情に鑑みてなされたものであり、水を散布して歯形の加工を行う場合であっても塵埃の飛散を防止できるとともに加工作業性を向上させることのできる歯科技工用防水カバーを提供することを目的とするものである。
【課題を解決するための手段】
【０００６】
上記の目的を達成するために、請求項１の発明は、歯形あるいは義歯の研削もしくは研磨などの加工を水の散布を伴って行う作業領域を覆う歯科技工用防水カバーにおいて、前記加工を行うための手を挿入する作業用開口部が左右両側の少なくとも一方に形成され、かつ内部の作業領域を覗くための視認用開口部が正面側もしくは上部に形成され、さらに排水用開口部が底部に形成された中空体が、水受けトレー上に、その水受けトレーに対して相対的に前後動可能に配置されていることを特徴とするものである。
【０００７】
請求項２の発明は、請求項１の発明において、前記水受けトレー内にその水受けトレーに対して前後方向に移動可能なスライド台が設けられ、前記中空体はそのスライド台に乗せられていることを特徴とする歯科技工用防水カバーである。
【０００８】
請求項３の発明は、請求項１または２の発明において、前記中空体の左右両側に前記作業用開口部が形成され、義歯を支えるための手を挿入する一方の作業用開口部の開口面積が、前記加工を行うための加工具を持つ手を挿入する他方の作業用開口部の開口面積より小さいことを特徴とする歯科技工用防水カバーである。
【０００９】
請求項４の発明は、請求項３の発明において、前記加工工具に接続されたチューブもしくはリードを前記中空体の内部に引き入れるための切り欠き部が、前記開口面積の大きい作業用開口部に上方に続けて上面にまで形成されていることを特徴とする歯科技工用防水カバーである。
【００１０】
請求項５の発明は、請求項１ないし４のいずれかの発明において、各作業用開口部の下側のエッジ部に、前記中空体の内部に突出した、手もしくは腕を載せる鍔部が形成されていることを特徴とする歯科技工用防水カバーである。
【００１１】
請求項６の発明は、請求項１ないし５のいずれかの発明において、前記視認用開口部は、目視用の開口部と拡大鏡装着用の開口部との少なくともいずれか一方を含むことを特徴とする歯科技工用防水カバーである。
【発明の効果】
【００１２】
請求項１の発明によれば、歯形もしくは義歯の加工が水の散布を伴って行われ、その加工領域は中空体の内部であり、その加工は作業用開口部から手を差し込んで行うことができ、また視認用開口部から内部を見て行うことができる。したがって加工に伴う粉塵あるいは塵埃や水は中空体の内部にとどまり、広く飛散することを防止もしくは抑制することができる。そして、これら粉塵もしくは塵埃および水は、中空体の底部に形成されている排水用開口部から水受けトレーに落下して捕集され、作業テーブルなどに散逸することを防止できる。さらに、加工対象物をより近くで肉眼によって確認しつつ加工を行う場合には、水受けトレーを中空体に対して前側（手前側）に相対的に移動させることにより水受けトレーの手前側の部分から中空体を除いた状態とし、その水受けトレーの手前側の部分の上で直接目視しつつ加工を行うことができ、その結果、多様な加工作業が可能になり、加工作業性が向上する。その場合、水を散布しつつ加工を行うので、加工粉は水と共に水受けトレーに落下し、飛散することは殆どない。
【００１３】
また、請求項２の発明によれば、中空体を後方に移動させることができるので、中空体の内部で行っていた加工と同様の位置で、直接目視した加工が可能になるので、作業姿勢の変更が少なく、加工作業性が向上する。
【００１４】
さらに、請求項３の発明によれば、中空体の内部で加工を行う場合、その作業用開口部から差し込んだ一方の手で加工工具を持ち、他方の手で加工対象物を持って加工を行うことになり、したがって加工工具から他方の手に向けて水が噴射される。しかしながら、加工対象物を持つ他方の手を差し込む作業用開口部の開口面積が相対的に小さいので、水や加工粉が外部に飛散したり、漏れ出たりすることを防止もしくは抑制することができる。
【００１５】
請求項４の発明によれば、加工工具に接続されているチューブもしくはリードが中空体と干渉することを防止もしくは抑制することができるので、作業性を向上させることができる。
【００１６】
請求項５の発明によれば、中空体の中に手を差し込んで加工作業を行う場合、作業用開口部の下側のエッジ部に鍔部が形成されているので、ここに手もしくは腕を載せることができ、したがって加工工具あるいは加工対象物を持つ手が安定するので、加工作業性が向上し、また楽に加工作業を行うことができる。
【００１７】
請求項６の発明によれば、直接目視するだけでなく、顕微鏡などの拡大鏡を取り付けて拡大した画像を見つつ作業を行うことができるので、細かい加工を容易かつ正確に行うことができる。
【発明を実施するための最良の形態】
【００１８】
この発明を具体例に基づいて説明すると、この発明に係る防水カバーは、歯形の研削もしくは研磨などの加工を水を散布しつつ行う場合に適した構成のカバーであり、その加工を行うエリアを覆う中空体と、その中空体から排出される水を受け取る水受けトレーとを主体として構成されている。その一例を図１に示してある。
【００１９】
図１に示す防水カバー１は、そのほぼ全体が合成樹脂によって構成されており、加工エリアを覆う中空体２と、水受けトレー３と、中空体２を水受けトレー３の内部で前後動自在に支持するスライド台４とを備えている。その中空体２は、その断面形状が円形もしくは矩形あるいは多角形などの適宜の形状に構成されたものであって、図１には円筒形に形成した例を示してある。また、この中空体２は、透明あるいは半透明もしくは不透明のいずれでもよいが、内部の全体を見渡せるように透明に構成することが好ましい。
【００２０】
図１に示す例では、中空体２をその中心軸線がほぼ水平となるように設置して使用するように構成されており、その使用状態での左右両端部に作業用開口部５Ｌ，５Ｒが形成されている。これらの作業用開口部５Ｌ，５Ｒは、歯形の加工を行うように手を挿入するためのものであり、一方の開口面積が他方の開口面積より大きく形成されている。図１に示す例は、右利き用の例であり、技工士が中空体２に正対した状態での右側の作業用開口部５Ｒが左側の作業用開口部５Ｌより大径に形成されている。これは、右手に加工工具を持ち、左手で歯形などの加工対象物を持ち、さらに加工工具から水を噴射することをことを考慮したものであり、水や加工粉が左方向に飛散しても、左側の作業用開口部５Ｌの開口径が小さいことにより、水などが中空体２の外部に出にくくなっている。なお、歯形などの加工対象物を持つ手を挿入するための作業用開口部５Ｌは、中空体２の中心軸線より幾分下がった位置に形成することが好ましい。
【００２１】
さらに、右側の作業用開口部５Ｒの上部に続けて上面に到る切り欠き部６が形成されている。これは、加工工具に繋がっているチューブあるいはリードを中空体２の内部に導き入れるためのものである。したがって、左利き用の構成は、図１に示すものとは左右が反対になり、左側の作業用開口部５Ｌの開口面積が右側の作業用開口部５Ｒより広く、かつ切り欠き部６が上部に繋がって形成される。
【００２２】
そして、各作業用開口部５Ｌ，５Ｒの下側のエッジ部には、中空体２の内部に差し込んだ手もしくは腕を載せるための鍔部７Ｌ，７Ｒが、中空体２の内部に向けて突出した状態で形成されている。これらの鍔部７Ｌ，７Ｒは、手もしくは腕の支えとなる部分であり、したがって歯形の加工作業が楽になるうえに、微細な加工が容易になる。なお、鍔部７Ｌ，７Ｒが中空体２の内部に向けて突出した状態に形成されているのは、中空体２の外部に突き出た部分を可及的に少なくして、その取り扱いあるいは収納を容易にするためである。また、これらの鍔部７Ｌ，７Ｒの上面にスポンジやフェルトなどの緩衝材を貼り付けておくことが好ましい。
【００２３】
さらに、中空体２の上部に、顕微鏡８などの拡大鏡を取り付けるための取付孔９が形成されている。またその取付孔９から正面（加工作業者に対向する面）側に僅か下がった位置に、中空体２の内部を直接目視するための覗き孔１０が形成されている。これら、取付孔９および覗き孔１０の少なくとも一方がこの発明の視認用開口部に相当している。
【００２４】
そして、中空体２の底部に排水用開口部１１が形成されている。これは、歯形の加工のために散布して中空体２の内部に溜まった水を排出するためのものであり、中空体２の底部を貫通させて形成されている。その開口形状は円形や矩形など適宜であり、図１には円周方向に沿う細長いスリットとして形成されている。
【００２５】
つぎにスライド台４について説明すると、このスライド台４は上記の中空体２の軸長とほぼ等しい幅に構成された矩形の枠体であり、その左右の側壁部の上部は、中空体２の外周面の曲率と一致する曲率の凹円弧状に形成されている。すなわち、この凹円弧部１２に中空体２を載せるように構成されている。
【００２６】
上記の中空体２は、スライド台４に載せた状態で水受けトレー３の内部に配置されている。この水受けトレー３は、上部が開口した矩形の箱体であり、その幅の内法は中空体２の幅（前記スライド台４の幅）とほぼ同じで、かつ前後方向の長さ（奥行き）は中空体２の外径（奥行き）より大きく形成され、より具体的には中空体２の外径の２倍程度に構成されている。したがって、中空体２と水受けトレー３とは、相対的に前後動するように構成されており、中空体２を後側（加工作業を行う者から遠ざかる側）に移動させることにより、水受けトレー３の手前側の部分に、上方に解放された作業領域１３が生じるようになっている。この作業領域１３は、より近い位置で直接目視して歯形の加工を行うためのものであり、したがって水受けトレー３の手前側の左右両側縁部には、手もしくは腕を載せるためにスポンジやフェルトなどの緩衝材を貼り付けておくことが好ましい。
【００２７】
つぎに上述した構成の防水カバーの作用について説明する。前述した取付孔９に必要に応じて顕微鏡８などの拡大鏡を取り付けておき、水受けトレー３内にセットした中空体２の覗き孔９が作業者に正対するように水受けトレー３および中空体２を配置する。一般的には、水受けトレー３の最も手前側の位置である。
【００２８】
そして、中空体２をスライド台４と共に前後方向に移動し、作業を行い易いように中空体２の位置を決める。その状態で右手などの利き手に加工工具を持ち、かつ反対の手で歯形などの加工対象物を持って、左右それぞれの作業用開口部５Ｌ，５Ｒから中空体２の内部に手を挿入する。その場合、加工工具を待つ利き手側には作業用開口部５Ｒの上方に続く切り欠き部６が上面にまで形成されているので、加工工具に接続されているチューブあるいはリードを中空体２に特には干渉させることなく、容易に中空体２の内部に引き入れることができる。また、中空体２の内部での加工工具を動かしてもチューブあるいはリードが中空体２に特には引っ掛からないので、加工工具の操作が阻害されず、加工作業が容易になる。
【００２９】
加工工具は、その先端部に取り付けた砥石などの研磨材が高速で回転するとともに、その研磨材の周囲に水を噴霧するように構成されており、したがって加工作業中には歯形などの加工対象物を持つ手の方向に向けて水が飛散することになる。しかしながら、加工対象物を持つ手を挿入する作業用開口部５Ｌはその開口面積が小さく、手もしくは腕の周囲に生じる隙間が相対的に小さくなるので、噴霧した水がその作業用開口部５Ｌから外部に漏れ出ることを防止もしくは抑制することができる。
【００３０】
このようにして歯形の研削もしくは研磨を行っている際には、手もしくは腕を各作業用開口部５Ｌ，５Ｒの下側のエッジ部に形成されている鍔部７Ｌ，７Ｒを載せておくことができるので、楽に加工作業を行うことができ、また微細な作業を容易かつ正確に行うことができる。なお、加工作業の状態は、顕微鏡８もしくは覗き孔９から確認することができる。
【００３１】
そして、加工工具から中空体２の内部に噴射された水は、研削もしくは研磨によって生じた加工粉と共に排水用開口部１１から水受けトレー３に流れ出て、水受けトレー３に回収される。したがって、作業台の上面が水浸しになったり、雑巾を用意してこれを頻繁に絞るなどの事態を解消することができる。
【００３２】
上述したように中空体２の内部で加工を行う場合、加工部位を顕微鏡８などで拡大して見ることができるが、状況によっては直接加工部位を目視しつつ加工を行うことが必要な場合がある。その場合には、中空体２を水受けトレー３の後方側に移動させ、水受けトレー３の手前側の部分を空ける。図１はその状態を示している。このようにすれば、水受けトレー３の上でかつ中空体２の外部で歯形の研削あるいは研磨などの加工作業を行うことができる。その加工の際の水は水受けトレー３に捕集できるので、作業台などの周囲が濡れることを防止もしくは抑制することができる。また、水受けトレー３の左右両側の縁部に手もしくは腕を載せて加工作業を行うことができるので、楽に加工作業を行うことができ、また微細な作業を容易かつ正確に行うことができる。
【００３３】
以上述べたように、この発明に係る防水カバーによれば、ジルコニアなどの硬質素材を使用した歯形を加工する場合、冷却もしくは潤滑のための水を噴射するとしても、その水や加工粉の飛散を防止できる。また、水や加工粉を水受けトレー３に回収できるので、作業環境を良好に維持できる。さらに、内部が作業エリアとされた中空体２とその下側に配置されている水受けトレー３とが相対的に前後動できるので、中空体２の外部でかつ水受けトレー３の上部で歯形の加工を行うことができ、多様な作業が可能になって全体としての作業性を向上させることができる。
【００３４】
なお、この発明は上述した具体例に限定されないのであって、中空体２と水受けトレー３とは相対的に前後動できればよく、したがって中空体２を後方に移動させる替わりに、水受けトレー３を手前側に引き出すように構成してもよい。
【図面の簡単な説明】
【００３５】
【図１】この発明の一例を示す外観斜視図である。
【符号の説明】
【００３６】
１…防水カバー、  ２…中空体、  ３…水受けトレー、  ４…スライド台、  ５Ｌ，５Ｒ…作業用開口部、  ６…切り欠き部、  ７Ｌ，７Ｒ…鍔部、  ８…顕微鏡、  ９…取付孔、  １０…覗き孔、  １１…排水用開口部、  １２…凹円弧部、  １３…作業領域。
【図１】
2009106368.tif 000003